(57)【要約】　　　（修正有）【課題】水道水を浄化水にするための浄水剤をポットに設けてなる浄水ポットで、ポットに溜められた浄化水をそのポットの注ぎ口よりコンスタントにコップにスムーズに注ぎ出すことの出来る浄水ポットを提供する。【解決手段】水道水Ｃを活性炭などの浄水剤１を通過させて浄化水Ａにするためのカートリッジ２を水溜３の下部の開口部３ａにさし込み、更に上部に開口部３ａ’を持つこの水溜３を、有底でなるポット本体４の上部の開口部３ａ”にさし込み着脱可能で、該水溜３の開口部３ａ’に係合する蓋５とからなる浄水ポットにおいて、当該水溜り３のポット本体４の開口部３ａ”に突き当て係止する水溜３のの開口部３ａ’に近接して全周に突起するツバ状のストッパー部３ｂの一部に空気ミゾ３Ｃを設けて、ポット本体４を密閉状態にし、ためられた浄化水Ａを注ぎ口６よりスムーズに流出するための空気通路を水溜３に設けた構成にする。【選択図】　図１
0003097612.tif 000002
【実用新案登録請求の範囲】
【請求項１】
水道水（Ｃ）を活性炭などの浄水剤（１）を通過させて浄化水（Ａ）にするためのカートリッジ（２）を水溜（３）の下部の開口部（３ａ）にさし込み、更に上部に開口部（３ａ）を持つこの水溜（３）を、有底でなるポット本体（４）の上部の開口部（３ａ”）にさし込み着脱可能で、該水溜（３）の開口部（３ａ’）に係合する蓋（５）とからなる浄水ポットにおいて、当該水溜（３）のポット本体（４）の開口部（３ａ”）に突き当て係止する水溜（３）の開口部（３ａ’）に近接して全周に突起するツバ状のストッパー部（３ｂ）の一部に空気ミゾ（３Ｃ）を設けて、ポット本体（４）を密閉状態にし、ためられた浄化水（Ａ）を注ぎ口（６）よりスムーズに流出するための空気通路を水溜（３）に具備したことを特徴とする浄水ポット。
【考案の詳細な説明】
【０００１】
【産業上の利用分野】この考案は、水道水を活性炭などの浄水剤を通過させて浄化水を溜めることの出来る浄水ポットの改良に関し、詳しくは浄水ポットに溜められて浄化水が該浄水ポットに設けた注ぎ口よりスムーズに流出可能にした浄水ポットに関する。
【０００２】
【従来の技術】此の種の従来技術として、一般的に知られる浄水ポットは有底でなるポット本体の開口部を密閉式でなるカートリッジを介在した水溜が係合し、これらに注ぎ込まれた水道水がカートリッジを通過することで、カートリッジの内部に外部に飛び出さないように収納された活性炭などの浄水剤を水道水が通過することで水道水に含まれる塩素やトリハロメタンや農薬などの不純物を取除かれてポット本体に溜められる。
【０００３】そして、これらのポット本体に溜められた浄化水は必要時にポット本体に一体化する注ぎ口よりコップなどに取出されて飲料水として使われる。
【０００４】
【考案が解決しようとする課題】しかしながら上記する従来技術の場合ポット本体に溜められた飲料水として使われる水道水の浄化水は、利用者が必要時にコップに注ぎ口より取出す場合に、ポット本体の浄化水の溜められるスペースが注ぎ口以外は全く外気との連絡を遮断した気密構造にしてあることで注ぎ口を塞いだ状態での浄化水の出が細くなり時間がかかるなどの課題がある。
【０００５】特にポット本体から浄化水をコップに取出すのにポット本体の上部に位置して注ぎ口が設けられていることでポット本体の浄化水が除除に少なくなるに従って片手でポット本体を持って大きく傾けなければならず細々に出る長時間帯での持つ手に必要以上に苦痛を与えるなどの課題が残る。
【０００６】このように注ぎ口からの浄化水の出を良くするため注ぎ口を出来るだけ広くポット本体を傾けた状態で常時外気との連絡を遮断しない工夫などあるものの、注ぎ口が広く大きいことでわずかなポット本体の傾きでも注ぎ口からの多量な浄化水がコップに注がれることで取り出し加減に難があるなどの課題がある。
【０００７】
【課題を解決するための手段】この考案は上記欠点ともなる課題を解決するために、図１で述べるように気密室に構成するポット本体２に外気との連絡を遮断している水溜３のポット本体４の上部の開口部３ａ”に突き当て係止する該水溜３の開口部３ａ’に近接して全周に突起するツバ状のストッパー部３ｂの一部に、空気ミゾ３ｃを設けてポット本体４の気密室に外気Ｂを供給可能にし、狭い注ぎ口６に構成した、一気に注がれない小さい注ぎ口６で飲料水で塞がれても空気ミゾ３によってポット本体４内の気密構成を解放してポット本体４内に外気Ｂの通路を設けて、常時コンスタントにスムーズに注ぎ口６からの飲料水の取り出しを可能にしている。
【０００８】
【考案の実施の形態】以下に図示の実施例に基づいて本考案を更に詳細に説明する。図１は本考案での実施例に基づく全体を示す一部断面での正面図で、家庭内で水道水に含まれる塩素や溶解性鉛やトリハロメタンなどの不純物を取り除くためのカートリッジ２とそのカートリッジ２の上部の外周に沿って開口する水道水の入れ口となるスリット２ａからなるそのカートリッジ２は、その下部の底に放出する浄化水の出口が設けられている。
【０００９】これらのカートリッジ２の内部に密閉されて浄水剤１がつめ込まれているが、これらの浄水剤１は活性炭や亜硫酸カルシュームなどが用いられて、まろやかな水質にすることの出来るカートリッジ２で構成する。
【００１０】そして、これらの浄水剤１の密封されたカートリッジ２は水溜３と着脱自在に合体し、ポット本体４の有底でなる浄化水を溜めるためのポット本体４の上部の開口部３ａ”から水溜３がさし込まれてポット本体４が密閉される。
【００１１】この水溜３は水道蛇口から流れ出る水道水を直接的に受け、その水道水が水溜３の中央に開口する孔を通して結合するカートリッジ２の上部に設けたスリット２ａに流れ込むことになる。
【００１２】そしてまた、この水溜３はポット本体４の上部の開口部３ａ”外周ふちに密着するための突起するツバ状のストッパー部３ｂが水溜３の開口部３ａ’に近接して全周に設けられ、ポット本体４の開口部３ａ”の外周ふちに係合自在でポット本体４の開口部３ａ”が封じられる構成である。
【００１３】更にまた、水溜３の開口部３ａ’を覆うための蓋５がポット本体４の注ぎ口に対向した側面に一体構成する取っ手４ａの上部に係合して支点５ａを介在して開成と閉成自在に構成する。
【００１４】このようにそれぞれが係合して構成する浄水ポットにおいて、上記するポット本体４の密閉状態でのポット本体４内に外気Ｂとの連絡を行い気密構造を解決するため、ポット本体４の開口部３ａ”に接合する水溜３のストッパー部３ｂの一部に通気孔になるための空気ミゾ３Ｃを開口し、外気Ｂがポット本体４に出入れ自在の構成である。
【００１５】今ポット本体４に設けた注ぎ口６は水道水をカートリッジ２に注ぎ込み水を溜めるための、水溜３の外周が近接しているためコップにポット本体４にためられた浄化水を注ぎ込むのにポット本体４をわずか傾斜した状態で注ぎ口６が浄化水で封じられた状態でもポット本体４内と外気の出入が自在に空気ミゾ３Ｃを通過することでポット本体４内の空気圧減がなく注ぎ口からの浄化水が均等にスムーズにコップに注ぎ込まれる。
【００１６】これらのポット本体４の密閉状態を解放するための外気に通じる空気ミゾ３Ｃは本考案での実施例の要部斜視図２で示す水溜３の（Ａ）図の他に（Ｂ）図の様な空気ミゾ３Ｃ’をストッパー部３ｂの厚みを開口することも可能である。
【００１７】更にこれらの空気ミゾ３Ｃ（３Ｃ’）は、本考案例において対象位置に２個設定しているが、空気ミゾ３Ｃ（３Ｃ’）の設ける位置、及び数については水溜３のストッパー部３ｂに特定するのみで特に固守するものでない。
【００１８】
【考案の効果】本考案は、上述の通り構成作用するので次の優れた効果を奏する。図１、２（Ａ）（Ｂ）で述べるように、水道水をカートリッジによって浄化水をポット本体に溜めて、利用者がこの浄水ポットの注ぎ口をコップに傾けて浄化水を注ぎ込んだ時に注ぎ口を目いっぱいの閉成状態で浄化水が注ぎ出されても空気ミゾによって外気との自由な連絡があることでスムーズで常時コンスタントに注ぎ口から浄化水がコップに注ぎ出される浄水ポットを提供することが出来る。
【図面の簡単な説明】
【図１】本考案に係わる一部断面を表す正面図である。
【図２】（Ａ）は本考案に係わる要部での斜視図で（Ｂ）は他の実施例での部分図である。
【符号の説明】
Ａ　　　　　　　　　　浄化水
Ｂ　　　　　　　　　　外気
Ｃ　　　　　　　　　　水道水
１　　　　　　　　　　浄水剤
２　　　　　　　　　　カートリッジ
３　　　　　　　　　　水溜
３ａ．３ａ’．３ａ”　開口部
３ｂ　　　　　　　　　ストッパー部
３Ｃ．３Ｃ’　　　　　空気ミゾ
４　　　　　　　　　　ポット本体
５　　　　　　　　　　蓋
６　　　　　　　　　　注ぎ口
【図１】
0003097612.tif 000003
【図２】
0003097612.tif 000004